(57)【要約】【課題】止水性をより一層高めることができる水槽と排水トラップとの止水構造及び水槽と排水トラップとの止水方法を提供する。【解決手段】水槽と排水トラップとの止水構造１００は、水槽１と排水トラップ３との止水構造であって、水槽１の底部１１から開口部１３側に下方に向かう水槽フランジ部２０と、排水トラップ３の上部に設けられ、径方向の外側に向かって延び、水槽フランジ部２０の上方に配置されるトラップ上部外向き壁部３５と、水槽フランジ部２０とトラップ上部外向き壁部３５との間に配置される止水部材４と、を備え、水槽フランジ部２０の二面２１ａ，２２ａが、止水部材４に当接していることを特徴とする。【選択図】図３
2020165076.tif 000002
【特許請求の範囲】
【請求項１】
水槽と排水トラップとの止水構造であって、
前記水槽の底部から開口部側に下方に向かう水槽フランジ部と、
前記排水トラップの上部に設けられ、径方向の外側に向かって延び、前記水槽フランジ部の上方に配置されるトラップ上部外向き壁部と、
前記水槽フランジ部と前記トラップ上部外向き壁部との間に配置される止水部材と、を備え、
前記水槽フランジ部の二面が、前記止水部材に当接していることを特徴とする水槽と排水トラップとの止水構造。
【請求項２】
前記水槽フランジ部の二面は、
前記水槽の底部から下方に向かう下向き面、及び前記下向き面の下端部から、下方に向かうにしたがって次第に前記径方向の内側に向かうフランジ面である請求項１に記載の水槽と排水トラップとの止水構造。
【請求項３】
前記トラップ上部外向き壁部の下部には、前記径方向の内側且つ上方に向かって切り欠かれた切欠き部が形成され、
該切欠き部には、前記止水部材が配置されている請求項１または２に記載の水槽と排水トラップとの止水構造。
【請求項４】
前記トラップ上部外向き壁部の下端部には、下方に向かうにしたがって次第に前記径方向の内側に傾斜するテーパー部が形成されている請求項３に記載の水槽と排水トラップとの止水構造。
【請求項５】
水槽と排水トラップとの止水方法であって、
前記水槽の底部から開口部側に下方に向かう水槽フランジ部上に、止水部材を設置する止水部材設置工程と、
前記排水トラップの上部に設けられ、径方向の外側に向かって延びるトラップ上部外向き壁部を、前記止水部材の上方に設置する排水トラップ設置工程と、を備え、
前記水槽フランジ部の二面が、前記止水部材に当接していることを特徴とする水槽と排水トラップとの止水方法。
【発明の詳細な説明】
【技術分野】
【０００１】
本発明は、水槽と排水トラップとの止水構造及び水槽と排水トラップとの止水方法に関するものである。
【背景技術】
【０００２】
従来から、キッチンのシンクや洗面所のボウル等の水槽と排水トラップ等の排水器具との間にはＯリングやパッキン等の止水材が設けられている。下記の特許文献１では、排水器具を水槽にロックナットで締付けて、水槽と排水器具との間の止水を行うものが提案されている。
【先行技術文献】
【特許文献】
【０００３】
【特許文献１】特開２０１８−１４１３１８号公報
【発明の概要】
【発明が解決しようとする課題】
【０００４】
しかしながら、上記の特許文献１に記載の止水構造では、ロックナットの締付け不良等により、パッキンが十分に潰れずに、漏水する虞がある。
【０００５】
そこで、本発明は、上記事情に鑑みてなされたものであり、止水性をより一層高めることができる水槽と排水トラップとの止水構造及び水槽と排水トラップとの止水方法を提供する。
【課題を解決するための手段】
【０００６】
上記目的を達成するために、本発明は以下の手段を採用している。
すなわち、本発明に係る水槽と排水トラップとの止水構造は、水槽と排水トラップとの止水構造であって、前記水槽の底部から開口部側に下方に向かう水槽フランジ部と、前記排水トラップの上部に設けられ、径方向の外側に向かって延び、前記水槽フランジ部の上方に配置されるトラップ上部外向き壁部と、前記水槽フランジ部と前記トラップ上部外向き壁部との間に配置される止水部材と、を備え、前記水槽フランジ部の二面が、前記止水部材に当接していることを特徴とする。
【０００７】
このように構成された水槽と排水トラップとの止水構造では、水槽フランジ部とトラップ上部外向き壁部との間に配置される止水部材は、水槽フランジ部の二面に当接している。よって、水槽フランジ部の二面のうち一方の面と止水部材との間を水が通過したとしても、二面のうちの他方の面と止水部材との間で止水することができるため、止水性をより一層高めることができる。
【０００８】
また、本発明に係る水槽と排水トラップとの止水構造では、前記水槽フランジ部の二面は、前記水槽の底部から下方に向かう下向き面、及び前記下向き面の下端部から、下方に向かうにしたがって次第に前記径方向の内側に向かうフランジ面であることが好ましい。
【０００９】
このように構成された水槽と排水トラップとの止水構造では、下向き面と止水部材との間を水が通過したとしても、下向き面よりも傾斜が緩やかなフランジ面と止水部材との間で止水することができ、止水性を更に高めることができる。
【００１０】
また、本発明に係る水槽と排水トラップとの止水構造では、前記トラップ上部外向き壁部の下部には、前記径方向の内側且つ上方に向かって切り欠かれた切欠き部が形成され、
該切欠き部には、前記止水部材が配置されていてもよい。
【００１１】
このように構成された水槽と排水トラップとの止水構造では、トラップ上部外向き壁部の下部に切欠き部が形成されているため、止水部材は切欠き部に嵌め込まれて、止水部材が位置ずれすることが抑制される。また、トラップ上部外向き壁部の切欠き部と止水部材との間を通過しようとする水を止水することができ、止水性を更に高めることができる。
【００１２】
また、本発明に係る水槽と排水トラップとの止水構造は、前記トラップ上部外向き壁部の下端部には、下方に向かうにしたがって次第に前記径方向の内側に傾斜するテーパー部が形成されていてもよい。
【００１３】
このように構成された水槽と排水トラップとの止水構造では、止水部材を水槽の水槽フランジ部上に設置して、止水部材に対して排水トラップのトラップ上部外向き壁部を上方から設置する。トラップ上部外向き壁部の下端部にはテーパー部が形成されているため、トラップ上部外向き壁部を上方から設置する際に、トラップ上部外向き壁部が止水部材と干渉することが抑制され、排水トラップを設置しやすい。
【００１４】
また、本発明に係る水槽と排水トラップとの止水方法は、水槽と排水トラップとの止水方法であって、前記水槽の底部から開口部側に下方に向かう水槽フランジ部上に、止水部材を設置する止水部材設置工程と、前記排水トラップの上部に設けられ、径方向の外側に向かって延びるトラップ上部外向き壁部を、前記止水部材の上方に設置する排水トラップ設置工程と、を備え、前記水槽フランジ部の二面が、前記止水部材に当接していることを特徴とする。
【００１５】
このように構成された水槽と排水トラップとの止水方法では、止水部材設置工程で、止水部材を水槽の水槽フランジ部上に設置する。排水トラップ設置工程で、止水部材に対して排水トラップのトラップ上部外向き壁部を上方から設置すれば、水槽フランジ部とトラップ上部外向き壁部との間の止水部材が配置される。水槽フランジ部の二面のうち一方の面と止水部材との間を水が通過したとしても、二面のうちの他方の面と止水部材との間で止水することができるため、止水性をより一層高めることができる。
また、止水部材及び排水トラップを水槽に対して上方から設置すればよいため、止水部材を作業性良く設置して止水することができる。
【発明の効果】
【００１６】
本発明に係る水槽と排水トラップとの止水構造及び水槽と排水トラップとの止水方法によれば、止水性をより一層高めることができる。
【図面の簡単な説明】
【００１７】
【図１】本発明の一実施形態に係る水槽と排水トラップとの止水構造の鉛直断面図である。
【図２】本発明の一実施形態に係る水槽と排水トラップとの止水構造を上方から見た図である。
【図３】図１のＡ部拡大図である。
【図４】本発明の一実施形態の変形例１に係る水槽と排水トラップとの止水構造の要部拡大図である。
【図５】本発明の一実施形態の変形例２に係る水槽と排水トラップとの止水構造の要部拡大図である。
【図６】本発明の一実施形態の変形例３に係る水槽と排水トラップとの止水構造の要部拡大図である。
【図７】本発明の一実施形態の変形例４に係る水槽と排水トラップとの止水構造の要部拡大図である。
【発明を実施するための形態】
【００１８】
以下、本発明の一実施形態に係る水槽と排水トラップとの止水構造ついて説明する。
図１は、本発明の一実施形態に係る水槽と排水トラップとの止水構造の鉛直断面図である。
図１に示すように、水槽と排水トラップとの止水構造（以下、「止水構造」と称する）１００は、キッチンのカウンター等（不図示。以下同じ。）に設けられたシンク（水槽）１と、床から立ち上がっている排水管（不図示。以下同じ。）に接続された排水トラップ３との間を止水するものである。
【００１９】
止水構造１００は、シンク１のシンクフランジ部（水槽フランジ部）２０と、排水トラップ３の上部外向き壁部３５と、止水部材４と、を備えている。
【００２０】
図２は、止水構造１００を上方から見た図である。
図２に示すように、シンク１は、シンク底部（底部）１１と、シンク周壁部１２と、を有している。本実施形態では、シンク１はステンレス製であるが、人工大理石等の他の材料により構成されていてもよい。
【００２１】
シンク底部１１は、平面視で、略矩形状をなしている。シンク周壁部１２は、シンク底部１１の外縁部から上方に立ち上がっている。
【００２２】
シンク底部１１には、上下方向に貫通するシンク開口部（開口部）１３が形成されている。シンク開口部１３は、平面視で、略円形状をなしている。
【００２３】
図１に示すように、シンク底部１１には、シンク開口部１３側に向かってシンクフランジ部２０が設けられている。
【００２４】
図１に示すように、シンクフランジ部２０は、平面視で、環状に形成されている。
図３は、図１のＡ部拡大図である。
図３に示すように、シンクフランジ部２０は、下向き壁部２１と、フランジ壁部２２と、を有している。
【００２５】
下向き壁部２１は、シンク１のシンク底部１１から鉛直下方に向かって延びている。下向き壁部２１の内面（下向き面）２１ａは、径方向の内側を向いている。
【００２６】
フランジ壁部２２は、下向き壁部２１の下端部から径方向の内側に向かうにしたがって次第に下方に向かっている。フランジ壁部２２の傾斜は、下向き壁部２１の傾斜よりも緩やかである。フランジ壁部２２の上面（フランジ面）２２ａは、上方を向いている。
【００２７】
図１に示すように、排水トラップ３は、排水ボウル３０と、トラップ本体４１と、排水管４２と、を有している。
【００２８】
排水ボウル３０は、シンク開口部１３に接続され、下方に凹んだ形状をなしている。トラップ本体４１は、排水ボウル３０の下端部に接続されている。排水管４２は、トラップ本体４１の側部に接続されている。
【００２９】
排水ボウル３０は、ボウル底部３１と、ボウル周壁部３２と、上部外向き壁部（トラップ上部外向き壁部）３５と、を有している。
【００３０】
ボウル底部３１には、トラップ本体４１に連続するボウル開口部３３が形成されている。
【００３１】
ボウル周壁部３２は、ボウル底部３１の外縁部から上方に立ち上がっている。ボウル周壁部３２の外周面には、雄螺子３２ａが形成されている。
【００３２】
図３に示すように、上部外向き壁部３５は、ボウル周壁部３２の上端部３２ｕから径方向外側に延びている。上部外向き壁部３５は、平面視で、環状に形成されている。
【００３３】
上部外向き壁部３５は、シンク１のフランジ壁部２２の上方に配置されている。上部外向き壁部３５の径方向外側の端部３５ｅは、シンク１の下向き壁部２１の内面２１ａに当接している。
【００３４】
上部外向き壁部３５の端部３５ｅには、下方に向かうしたがって次第に径方向内側に向かう第一傾斜壁部３６が設けられている。第一傾斜壁部３６の下端部には、下方に向かうしたがって次第に径方向外側に向かう第二傾斜壁部３７が設けられている。第二傾斜壁部３７は、水平面に対して傾斜角θ１傾斜している。本実施形態では、傾斜角θ１は６０〜７０度程度である。なお、傾斜角θ１の角度は、適宜設定可能である。
【００３５】
第二傾斜壁部３７の下端部３７ｄは、上部外向き壁部３５の端部３５ｅよりも径方向内側に配置されている。
【００３６】
第一傾斜壁部３６及び第二傾斜壁部３７により、上部外向き壁部３５の下部には、径方向内側且つ上方に向かって切り欠かれた切欠き部３８が形成されている。
【００３７】
図１に示すように、止水部材４は、平面視で、環状をなしている。本実施形態では、止水部材４はＯリングである。
【００３８】
図３に示すように、止水部材４は、シンク１のシンクフランジ部２０と排水トラップ３の上部外向き壁部３５との間に配置されている。止水部材４は、上部外向き壁部３５の切欠き部３８に配置されている。
【００３９】
換言すると、止水部材４は、シンクフランジ部２０の内面２１ａ、上面２２ａ、上部外向き壁部３５の第一傾斜壁部３６の面（下方を向く面）３６ａ及び第二傾斜壁部３７の面（径方向外側を向く面）３７ａにそれぞれ当接して配置されている。
【００４０】
図３に二点鎖線で示すように、止水部材４がシンク１のシンクフランジ部２０と排水トラップ３の上部外向き壁部３５との間に配置される前の元々の状態では、止水部材４の断面形状は、円形状をなしている。止水部材４の外径の直径は、上部外向き壁部３５の直径よりも僅かに大きい。
【００４１】
止水部材４は、第一傾斜壁部３６の面３６ａにより、下方且つ径方向外側に押圧されている。止水部材４は、第二傾斜壁部３７の面３７ａにより、径方向外側に押圧されている。これにより、止水部材４は、シンクフランジ部２０の内面２１ａ、上面２２ａ、第一傾斜壁部３６の面３６ａ及び第二傾斜壁部３７の面３７ａに挟まれて、変形して収まっている。
【００４２】
排水ボウル３０のボウル周壁部３２の径方向外側には、ロックナット５が配置されている。ロックナット５の内周面には、雌螺子５ａが形成されている。ロックナット５の雌螺子５ａは、排水トラップ３の雄螺子３２ａに螺合されている。
【００４３】
次に、上記の止水構造１００の止水方法（設置方法）について説明する。
まず、キッチンのカウンター等にシンク１を設置する。
次に、止水部材の排水トラップへの取付工程を行う。
排水トラップ３の上部外向き壁部３５の切欠き部３８に、止水部材４を嵌め込んでおく。
【００４４】
次に、排水トラップ設置工程を行う。
止水部材４が嵌め込まれた排水トラップ３を、シンク１の上方から下方に移動して、シンク開口部１３に排水ボウル３０を通過させる。
【００４５】
止水部材４は、シンク１の下向き壁部２１の上端部に当接すると変形し始めて、下向き壁部２１の内面２１ａに沿って下方に移動する。
【００４６】
シンク１のシンクフランジ部２０の上方に、排水トラップ３の上部外向き壁部３５を載せる。上部外向き壁部３５に設けられた止水部材４がシンク１のフランジ壁部２２に到達（当接）すると、排水トラップ３の自重により、止水部材４は、シンクフランジ部２０の面２１ａ、上面２２ａ、第一傾斜壁部３６の面３６ａ及び第二傾斜壁部３７の面３７ａに挟まれてさらに変形した状態で収まる。
【００４７】
次に、ロックナット締付工程を行う。
最後に、ロックナット５を締付けて、止水構造１００の設置が完了する。
【００４８】
このように構成された止水構造１００では、シンクフランジ部２０と上部外向き壁部３５との間に配置される止水部材４は、シンクフランジ部２０の内面２１ａ及び上面２２ａに当接している。よって、シンクフランジ部２０の内面２１ａと止水部材４との間を水が通過したとしても、上面２２ａと止水部材４との間で止水することができる。したがって、シンクフランジ部２０の内面２１ａ及び上面２２ａの二面で止水できるため、止水性をより一層高めることができる。
【００４９】
止水部材４は、排水トラップ３の第一傾斜壁部３６の面３６ａにより、下方且つ径方向外側に押圧されている。排水トラップ３の自重により、止水部材４は、シンク１の下向き壁部２１とフランジ壁部２２との角部に収まって、シンクフランジ部２０の内面２１ａ及び上面２２ａの二面に当接している。よって、ロックナット５の締め付け具合によらず、止水性を確保することができる。
【００５０】
また、シンクフランジ部２０の内面２１ａと止水部材４との間を水が通過したとしても、内面２１ａよりも傾斜が緩やかなシンクフランジ部２０の上面２２ａと止水部材４との間で止水することができ、止水性を更に高めることができる。
【００５１】
また、上部外向き壁部３５の下部に切欠き部３８が形成されているため、止水部材４は切欠き部３８に嵌め込まれて、止水部材４が位置ずれすることが抑制される。また、上部外向き壁部３５の切欠き部３８と止水部材４との間を通過しようとする水を止水することができ、止水性を更に高めることができる。
【００５２】
（変形例１）
次に、本発明の一実施形態の変形例１に係る水槽と排水トラップとの止水構造について、主に図４を用いて説明する。
下記に示す変形例の説明において、前述した部材と同一の部材には同一の符号を付して、その説明を省略する。
図４は、本発明の一実施形態の変形例１に係る水槽と排水トラップとの止水構造の要部拡大図である。
【００５３】
図４に示すように、本変形例の排水トラップ３の第二傾斜壁部３７Ａの傾斜角θ１は、上記に示す実施形態の傾斜角θ１よりも小さい。本変形例では、傾斜角θ１は３０〜４０度程度である。なお、傾斜角θ１の角度は、適宜設定可能である。
【００５４】
これにより、第一傾斜壁部３６と第二傾斜壁部３７Ａとの角部３５Ａには、第一実施形態よりも大きな空間が形成されている。止水部材４は、この空間部内に入り込むように変形している。止水部材４と第一傾斜壁部３６及び第二傾斜壁部３７Ａとの接触面積を大きく確保することができる。
【００５５】
このように構成された止水構造１００Ａでは、シンクフランジ部２０と上部外向き壁部３５との間に配置される止水部材４は、シンクフランジ部２０の内面２１ａ及び上面２２ａに当接している。よって、シンクフランジ部２０の内面２１ａと止水部材４との間を水が通過したとしても、上面２２ａと止水部材４との間で止水することができる。したがって、シンクフランジ部２０の内面２１ａ及び上面２２ａの二面で止水できるため、止水性をより一層高めることができる。
【００５６】
（変形例２）
次に、本発明の一実施形態の変形例２に係る水槽と排水トラップとの止水構造について、主に図５を用いて説明する。
図５は、本発明の一実施形態の変形例２に係る水槽と排水トラップとの止水構造の要部拡大図である。
【００５７】
図５に示すように、本変形例の第二傾斜壁部３７Ｂの傾斜角θ１は、上記に示す実施形態の傾斜角θ１よりも大きい。本変形例では、傾斜角θ１は９０度程度である。なお、傾斜角θ１の角度は、適宜設定可能である。
【００５８】
第二傾斜壁部３７Ｂの下端部には、返し部３９が形成されている。返し部３９は、下方に向かうにしたがって次第に径方向外側に向かって傾斜している。止水部材４は、返し部３９にも当接している。
【００５９】
このように構成された止水構造１００Ｂでは、シンクフランジ部２０と上部外向き壁部３５との間に配置される止水部材４は、シンクフランジ部２０の内面２１ａ及び上面２２ａに当接している。よって、シンクフランジ部２０の内面２１ａと止水部材４との間を水が通過したとしても、上面２２ａと止水部材４との間で止水することができる。したがって、シンクフランジ部２０の内面２１ａ及び上面２２ａの二面で止水できるため、止水性をより一層高めることができる。
【００６０】
また、止水部材４は、フランジ壁部２２、排水トラップ３の返し部３９及び第二傾斜壁部３７Ｂに当接しているため、フランジ壁部２２と第二傾斜壁部３７Ｂとの角部を止水部材４で埋めることができ、止水性をより高めることができる。
【００６１】
（変形例３）
次に、本発明の一実施形態の変形例３に係る水槽と排水トラップとの止水構造について、主に図６を用いて説明する。
図６は、本発明の一実施形態の変形例３に係る水槽と排水トラップとの止水構造の要部拡大図である。
【００６２】
図６に示すように、本変形例では、第二傾斜壁部３７Ｂの傾斜角度は、変形例２の第二傾斜壁部３７Ｂの傾斜角度と同等である。第二傾斜壁部３７Ｂの下端部には、テーパー部４０が形成されている。テーパー部４０は、下方に向かうにしたがって次第に径方向内側に向かって傾斜している。
【００６３】
本変形例の止水構造１００を設置する際には、まず、止水部材設置工程を行う。
シンク１の下向き壁部２１とフランジ壁部２２との角部に沿って、止水部材４を設置する。
【００６４】
次に、排水トラップ設置工程を行う。
排水トラップ３を、シンク１の上方から下方に移動して、シンク開口部１３に排水ボウル３０を通過させる。
【００６５】
排水トラップ３の第二傾斜壁部３７Ｂの下端部が止水部材４の上部に接触する際には、第二傾斜壁部３７Ｂの下端部にテーパー部４０が形成されているため、第二傾斜壁部３７Ｂの下端部と止水部材４との干渉が抑制され、第二傾斜壁部３７Ｂは下方に移動しやすい。
【００６６】
止水部材４の上方に、排水トラップ３の上部外向き壁部３５を載せる。排水トラップ３の第一傾斜壁部３６が止水部材４に当接すると、排水トラップ３の自重により、止水部材４は変形する。止水部材４は、シンクフランジ部２０の内面２１ａ、上面２２ａ、第一傾斜壁部３６の面３６ａ及び第二傾斜壁部３７Ｂの面３７ａに挟まれて変形した状態で収まる。最後に、ロックナット５を締付ける。
【００６７】
このように構成された止水構造１００Ｃでは、シンクフランジ部２０と上部外向き壁部３５との間に配置される止水部材４は、シンクフランジ部２０の内面２１ａ及び上面２２ａに当接している。よって、シンクフランジ部２０の内面２１ａと止水部材４との間を水が通過したとしても、上面２２ａと止水部材４との間で止水することができる。したがって、シンクフランジ部２０の内面２１ａ及び上面２２ａの二面で止水できるため、止水性をより一層高めることができる。
【００６８】
また、止水部材４及び排水トラップ３を水槽に対して上方から設置すればよいため、止水部材４を作業性良く設置して止水することができる。
【００６９】
また、上部外向き壁部３５の下端部にはテーパー部４０が形成されているため、上部外向き壁部３５を上方から設置する際に、上部外向き壁部３５が止水部材４と干渉することが抑制され、排水トラップ３を設置しやすい。
【００７０】
（変形例４）
次に、本発明の一実施形態の変形例４に係る水槽と排水トラップとの止水構造について、主に図７を用いて説明する。
図７は、本発明の一実施形態の変形例４に係る水槽と排水トラップとの止水構造の要部拡大図である。
【００７１】
図７に示すように、本変形例では、シンクフランジ部２０Ｄは、下方に向かうにしたがって次第に径方向内側に向かう滑らかな曲面で形成されている。止水部材４は、シンクフランジ部２０Ｄに沿って変形している。止水部材４は、シンクフランジ部２０Ｄの途中の面２０ａから面２０ａよりも下方の面２０ｂまで連続して当接している。
【００７２】
このように構成された止水構造１００Ｄでは、シンクフランジ部２０Ｄと上部外向き壁部３５との間に配置される止水部材４は、シンクフランジ部２０Ｄの面２０ａから面２０ｂまで連続して当接している。したがって、シンクフランジ部２０Ｄの面２０ａから面２０ｂまで連続して止水できるため、止水性をより一層高めることができる。
【００７３】
また、止水部材４は滑らかな曲面で形成されたシンクフランジ部２０Ｄに沿って変形するため、止水部材４とシンクフランジ部２０Ｄとの間の隙間が小さくなり、止水性を更に高めることができる。
【００７４】
なお、上述した実施の形態において示した各構成部材の諸形状や組み合わせ等は一例であって、本発明の主旨から逸脱しない範囲において設計要求等に基づき種々変更可能である。
【００７５】
例えば、上記に示す実施形態では、止水構造１００として、キッチンのカウンター等に設けられたシンク１と排水トラップ３との間の止水構造１００を例に挙げて説明したが、本発明はこれに限られない。洗面所等のボウルと排水トラップ（排水器具）との間の止水構造１００にも適用可能である。
【符号の説明】
【００７６】
１…シンク（水槽）
３…排水トラップ
４…止水部材
５…ロックナット
１１…シンク底部（底部）
１２…シンク周壁部
１３…シンク開口部（開口部）
２０…シンクフランジ部（水槽フランジ部）
２１…下向き壁部
２１ａ…下向き壁部２１の内面（下向き面）
２２…フランジ壁部
２２ａ…フランジ壁部２２の上面（フランジ面）
３０…排水ボウル
３１…ボウル底部
３２…ボウル周壁部
３５…上部外向き壁部（トラップ上部外向き壁部）
３６…第一傾斜壁部
３７…第二傾斜壁部
３８…切欠き部
３９…返し部
４０…テーパー部
４１…トラップ本体
４２…排水管
１００…止水構造（水槽と排水トラップとの止水構造）
【図１】
2020165076.tif 000003
【図２】
2020165076.tif 000004
【図３】
2020165076.tif 000005
【図４】
2020165076.tif 000006
【図５】
2020165076.tif 000007
【図６】
2020165076.tif 000008
【図７】
2020165076.tif 000009